(57)【要約】【課題】転写フィルムとインクリボンに適用できる搬送ズレを防止可能な手段を備えた間接転写方式カードプリンタを提供することを課題とする。【解決手段】巻取りロール４の前段に搬送ズレ防止手段を備え、搬送ズレ防止手段は、フィルム５の幅方向の両側に備えられた、フィルムの搬送が搬送方向の平行度を検出可能とする頭出しマーク３と、搬送ズレの量を取得する搬送ズレ検出手段２と、搬送ズレを修正する搬送ズレ修正手段１０と、を備え、搬送ズレ修正手段は、巻取りロールの前段に備えられ、搬送路コーナー部シャフト１と、その一方の端部に備えられ、そのシャフトを巻取りロールと搬送路コーナー部シャフトによって張った状態のフィルムの面と同一の平面内で回転可能に支持する支点８と、他方の端部に備えられ、前記平面内で、搬送路コーナー部シャフトをある角度に回転するように移動させる駆動手段９と、を備えている。【選択図】図１
2018083332.tif 000002
【特許請求の範囲】
【請求項１】
フィルムの搬送ズレを防止する搬送ズレ防止手段を備えた間接転写方式のカードプリンタであって、
巻取りロールの前段にフィルムの搬送ズレを防止する搬送ズレ防止手段を備えており、
搬送ズレ防止手段は、
フィルムの幅方向の両側に備えられたフィルムの搬送が搬送方向に平行であるかどうかを検出可能とする頭出しマークと、
頭出しマークを検出し、搬送ズレの量を取得する搬送ズレ検出手段と、
搬送ズレ検出手段が取得した搬送ズレの量に基づいて、搬送ズレを修正する搬送ズレ修正手段と、を備えており、
搬送ズレ修正手段は、
巻取りロールの前段に備えられ、フィルムを張った状態で搬送可能とする搬送路コーナー部シャフトと、
搬送路コーナー部シャフトの一方の端部に備えられ、巻取りロールと搬送路コーナー部シャフトによって張った状態となったフィルムの面と同一の平面内で回転可能に支持する支点と、
他方の端部に備えられ、フィルムの面と同一の平面内で、搬送路コーナー部シャフトを回転させる駆動手段と、を備えていることを特徴とする間接転写方式のカードプリンタ。
【請求項２】
前記搬送ズレ検出手段が、フォトインタラプタを備えていることを特徴とする請求項１に記載の間接転写方式のカードプリンタ。
【請求項３】
前記駆動手段が、電動スライダを備えていることを特徴とする請求項１または２に記載の間接転写方式のカードプリンタ。
【請求項４】
前記支点が、ボールベアリングを備えていることを特徴とする請求項１〜３のいずれかに記載の間接転写方式のカードプリンタ。
【請求項５】
請求項１〜４のいずれかに記載の間接転写方式のカードプリンタにおける搬送ズレの修正方法であって、
前記搬送ズレ検出手段が、前記頭出しマークを検出し、搬送ズレの方向と量を取得する工程と、
前記搬送ズレ修正手段が、前記搬送ズレ検出手段が取得した搬送ズレの方向と量に基づいて、搬送ズレを修正する工程と、を備えており、
搬送ズレの方向が、
フィルムの搬送方向の下流に向って左側にずれている場合は、前記搬送部コーナーシャフトの駆動手段に連接した部位を前記巻取りロールに近づく側に、搬送ズレの量に基づいて決定した角度だけ移動させ、
フィルムの搬送方向の下流に向って右側にずれている場合は、前記搬送部コーナーシャフトの駆動手段に連接した部位を前記巻取りロールから離れる側に、搬送ズレの量に基づいて決定した角度だけ移動させることを特徴とする搬送ズレの修正方法。
【発明の詳細な説明】
【技術分野】
【０００１】
本発明は、間接転写方式カードプリンタに関する。更に詳しくは、搬送ズレの手段を備えた間接転写方式カードプリンタおよびそのカードプリンタを使用した搬送ズレの修正方法に関する。
【背景技術】
【０００２】
ＳＩＭカードやＵＩＭカードと呼ばれる通常のＩＣカードより小型のＩＣカードに、文字やマークなどを印刷する場合、サーマルヘッドによりインクリボンのインクを直接的に転写するカードプリンタでは、印刷面が平坦ではないため良好な印刷が困難であった。
【０００３】
そのため、中間転写フィルムを介して被印刷物に印刷する間接転写方式カードプリンタが使用されている。
【０００４】
間接転写方式カードプリンタは、インクリボンの巻回体から巻き出されたインクリボンのインキ層を、サーマルヘッドを用いて、中間転写フィルムに一旦転写した後、被印刷物に間接転写するカードプリンタである。
【０００５】
間接転写方式カードプリンタにおいて使用するインクリボンは、厚さが３μｍ〜６μｍの非常に薄いフィルムを支持基材としているため機械的な強度が足りず、写真フィルムの幅方向の両端に備えられているパーフォレーション（Ｐｅｒｆｏｒａｔｉｏｎ、穿孔）をスプロケット（Ｓｐｒｏｃｋｅｔ、歯車）によって保持して送る手段が使用できない。そのため、間接転写方式カードプリンタにおいては、搬送ズレを防止するための手段が備えられていなかった。
【０００６】
パーフォレーションを形成したフィルムをスプロケットによって搬送する手段を用いずに、搬送されるフィルムの搬送ズレを抑制し、蛇行を防止する技術として、例えば特許文献１には、ウェブ搬送装置が開示されている。この技術は、ウェブの搬送方向の上流側の第１搬送機構部と、下流側の第２搬送機構部と、それらの中間にあるバッファー機構部と、を備えた印刷装置において、第１搬送機構部とバッファー機構部との間およびバッファー機構部と第２搬送機構部との間に、それぞれ蛇行を検出する第１および第２センサを設置している。第１センサが蛇行やウェブの急激な変形を検出した場合に、第１および第２センサの検出結果より補正値を計算し、その補正値に基づいて第２搬送機構部の加圧ローラにより蛇行補正を行うものである。
【０００７】
しかしながら、この技術はウェブ方式の印刷装置に関する技術であり、基材フィルムの厚さが３μｍ〜６μｍであるインクリボンのように非常に薄いフィルムを使用する間接転写方式カードプリンタには適用が困難であると考えられる。
【先行技術文献】
【特許文献】
【０００８】
【特許文献１】特開２００８−４４７５０号公報
【発明の概要】
【発明が解決しようとする課題】
【０００９】
上記の事情に鑑み、本発明は転写フィルムとインクリボンに適用できる搬送ズレを防止可能な手段を備えた間接転写方式カードプリンタを提供することを課題とする。
【課題を解決するための手段】
【００１０】
上記の課題を解決する手段として、本発明の請求項１に記載の発明は、フィルムの搬送ズレを防止する搬送ズレ防止手段を備えた間接転写方式のカードプリンタであって、
巻取りロールの前段にフィルムの搬送ズレを防止する搬送ズレ防止手段を備えており、
搬送ズレ防止手段は、
フィルムの幅方向の両側に備えられたフィルムの搬送が搬送方向に平行であるかどうかを検出可能とする頭出しマークと、
頭出しマークを検出し、搬送ズレの方向と量を取得する搬送ズレ検出手段と、
搬送ズレ検出手段が取得した搬送ズレの方向と量に基づいて、搬送ズレを修正する搬送ズレ修正手段と、を備えており、
搬送ズレ修正手段は、
巻取りロールの前段に備えられ、フィルムを張った状態で搬送可能とする搬送路コーナー部シャフトと、
搬送路コーナー部シャフトの一方の端部に備えられ、巻取りロールと搬送路コーナー部シャフトによって張った状態となったフィルムの面と同一の平面内で回転可能に支持する支点と、
他方の端部に備えられ、フィルムの面と同一の平面内で、搬送路コーナー部シャフトを回転させる駆動手段と、を備えていることを特徴とする間接転写方式のカードプリンタである。
【００１１】
また、請求項２に記載の発明は、前記搬送ズレ検出手段が、フォトインタラプタを備えていることを特徴とする請求項１に記載の間接転写方式のカードプリンタである。
【００１２】
また、請求項３に記載の発明は、前記駆動手段が、電動スライダを備えていることを特徴とする請求項１または２に記載の間接転写方式のカードプリンタである。
【００１３】
また、請求項４に記載の発明は、前記支点が、ボールベアリングを備えていることを特徴とする請求項１〜３のいずれかに記載の間接転写方式のカードプリンタである。
【００１４】
また、請求項５に記載の発明は、請求項１〜４のいずれかに記載の間接転写方式のカードプリンタにおける搬送ズレの修正方法であって、
前記搬送ズレ検出手段が、前記頭出しマークを検出し、搬送ズレの方向と量を取得する工程と、
前記搬送ズレ修正手段が、前記搬送ズレ検出手段が取得した搬送ズレの方向と量に基づいて、搬送ズレを修正する工程と、を備えており、
搬送ズレの方向が、
フィルムの搬送方向の下流に向って左側にずれている場合は、前記搬送部コーナーシャフトを前記巻取りロールに近づく側に、搬送ズレの量に基づいて決定した角度だけ回転させ、
フィルムの搬送方向の下流に向って右側にずれている場合は、前記搬送部コーナーシャフトを前記巻取りロールから離れる側に、搬送ズレの量に基づいて決定した角度だけ回転させることを特徴とする搬送ズレの修正方法である。
【発明の効果】
【００１５】
本発明の間接転写方式カードプリンタによれば、フィルムに形成されている頭出しマークを検出し、搬送ズレの方向と量を取得し、その情報に基づいて、巻取りロールとその前段に備えられた搬送路コーナー部シャフトによってフィルムを張った状態にし、そのフィルムを張った面と同一の平面内で、搬送路コーナー部シャフトの一方の端部を支点として、もう一方の端部を巻取りロールに近くなる方向または離れる方向に回転することによって、搬送ズレを修正可能であるため、搬送ズレの修正により巻取りロールにおいて巻ズレを起こす事の無い間接転写方式カードプリンタを提供可能である。
【００１６】
また、本発明の搬送ズレの修正方法によれば、本発明の間接転写方式カードプリンタにおいて、搬送ズレの修正を可能とすることができる。
【図面の簡単な説明】
【００１７】
【図１】本発明の間接転写方式カードプリンタの動作状況を例示する概略説明図であって、（ａ）はフィルム搬送方向の下流に向って左側に搬送ズレを起こしている場合の、搬送ズレ防止手段の状況を例示している説明図、（ｂ）は逆にフィルム搬送方向の下流に向って右側に搬送ズレを起こしている場合の、搬送ズレ防止手段の状況を例示している説明図、である。
【発明を実施するための形態】
【００１８】
本発明の間接転写方式のカードプリンタについて、図１を用いて説明する。
＜間接転写方式のカードプリンタ＞
本発明の間接転写方式のカードプリンタは、フィルム５の搬送ズレを防止する搬送ズレ防止手段７を備えた間接転写方式のカードプリンタ２０である。なお、ここでフィルム５は、間接転写方式カードプリンタで使用する転写フィルムとインクリボン（転写リボン）を指す。
【００１９】
本発明の間接転写方式のカードプリンタ２０は、巻取りロール４の前段にフィルム５の搬送ズレを防止する搬送ズレ防止手段７を備えている。
【００２０】
搬送ズレ防止手段７は、フィルム５の幅方向の両側に備えられた、フィルム５の搬送が搬送方向に平行であるかどうかを検出可能とする頭出しマーク３と、頭出しマーク３を検出し、搬送ズレの方向と量を取得する搬送ズレ検出手段２と、搬送ズレ検出手段２が取得した搬送ズレの方向と量に基づいて、搬送ズレを修正する搬送ズレ修正手段１０と、を備えている。
【００２１】
搬送ズレ修正手段１０は、巻取りロール４の前段に備えられ、フィルム５を張った状態で搬送可能とする搬送路コーナー部シャフト１と、搬送路コーナー部シャフト１の一方の端部に備えられ、巻取りロール４と搬送路コーナー部シャフト１によって張った状態となったフィルム５の面と同一の平面内で回転可能に支持する支点８と、他方の端部に備えられ、フィルム５の面と同一の平面内で、搬送路コーナー部シャフト１を回転させる駆動手段９と、を備えている
【００２２】
搬送ズレ検出手段２としては、特に限定する必要は無いが、例えば、発光素子と受光素子を１つのパッケージに互いに向い合わせにして並べ、その間を検出対象の物体が光をさえぎることにより、検出機能を持たせたフォトインタラプタを好適に使用可能である。フォトインタラプタは透過光を検出する方式であるが、発光素子からの反射光を受光素子で検出する方式でも良い。また、光を使用した方式ではなく、磁気などを検出する方式でも構わない。
【００２３】
駆動手段９としては、一方の端部を支点８にある平面内で回転可能に支持された搬送路コーナー部シャフト１のもう一方の端部を同じ平面内で駆動できる手段であれば特に限定する必要はない。例えば電動スライダや電動シリンダなど、電気的な信号によってその動作を制御可能な機構を好適に使用することができる。その場合、電気的な信号によって制御するための制御装置（図示せず）が必要となる。駆動手段９の駆動力としては電気的な駆動力に基づく機構に限定する必要はなく、油圧シリンダなどを使用した機構であっても良い。その場合も、その動作を制御するための電気的な信号によって制御可能な機構が望
ましい。
【００２４】
支点８としては、ある平面内で安定して一方向に駆動可能に支持することが可能な機構であれば良く、特に限定する必要はない。例えばボールベアリングを好適に使用することができる。
【００２５】
＜搬送ズレの修正方法＞
次に、本発明の間接転写方式のカードプリンタ２０における搬送ズレの修正方法について説明する。
【００２６】
本発明の搬送ズレの修正方法は、本発明の間接転写方式のカードプリンタ２０において実施可能な搬送ズレの修正方法である。
本発明の搬送ズレの修正方法は、搬送ズレ検出手段２が、頭出しマーク３を検出し、搬送ズレの方向と量を取得するする工程と、搬送ズレ修正手段１０が、搬送ズレ検出手段２が取得した搬送ズレの方向と量に基づいて、搬送ズレを修正する工程と、を備えている。
【００２７】
図１（ａ）は、巻取りロール４に正常な位置で巻き取られたフィルム６に対して、フィルム５の搬送ズレが、フィルム搬送方向の下流に向って左側におきている状態を例示した説明図である。この場合は、搬送部コーナーシャフト１の駆動手段９に連接した部位を、巻取りロール４に近づく側に搬送ズレの量に基づいて決定した角度だけ移動させ、傾けることにより、図中に記載した搬送ズレ修正方向（フィルム搬送方向の下流に向って右側に向う方向）にフィルム５を移動し、搬送ズレを修正することができる。
【００２８】
図１（ｂ）は、フィルム５の搬送ズレが、フィルム搬送方向の下流に向って右側におきている状態を例示した説明図である。この場合は、搬送部コーナーシャフト１の駆動手段９に連接した部位を、巻取りロール４から離れる側に搬送ズレの量に基づいて決定した角度だけ移動させ、傾けることにより、図１（ａ）と同様に、図中に記載した搬送ズレ修正方向（フィルム搬送方向の下流に向って左側に向う方向）にフィルム５を移動し、搬送ズレを修正することができる。
【符号の説明】
【００２９】
１・・・搬送路コーナー部シャフト
２・・・搬送ズレ検出手段
３・・・頭出しマーク
４・・・巻取りロール
５・・・フィルム
６・・・巻き取られたフィルム
７・・・搬送ズレ防止手段
８・・・支点
９・・・駆動手段
１０・・・搬送ズレ修正手段
２０・・・間接転写方式カードプリンタ
【図１】
2018083332.tif 000003